(57)【要約】【課題】本発明は、透明フィルム等のプラスチックシートに微細な多数の孔をパターン状に穿け、この部分において生じる光の散乱によって文字等のパターンを現出させ、あるいは必要に応じて消失できるようにし、特に特殊な検証器を使用しなくても簡単に真偽の判定が可能で、かつカラー複写機等による偽造が困難な偽造防止媒体および偽造防止シールの提供を目的とする。【解決手段】基材上に少なくとも印刷層と該印刷層が透けて見えるＯＶＤを持つ透明性ＯＶＤ層とをこの順序に設けると共に、該透明性ＯＶＤ層の一部には光を散乱させる多数の微細な孔を文字、記号、マーク等のパターン状に形成してなる多孔質部を設ける。【選択図】図２
2004340992.tif 000002
【特許請求の範囲】
【請求項１】
基材上に少なくとも印刷層と該印刷層が透けて見えるＯＶＤを持つ透明性ＯＶＤ層とがこの順序で設けてあり、該透明性ＯＶＤ層の一部には光を散乱させる多数の微細な孔を文字、記号、マーク等のパターン状に形成してなる多孔質部を有することを特徴とする偽造防止媒体。
【請求項２】
前記透明性ＯＶＤ層が、回折光を生じさせる微細な凹凸パターンを備えていることを特徴とする請求項１記載の偽造防止媒体。
【請求項３】
前記透明性ＯＶＤ層が、多層の光学薄膜によって虹彩を生じさせる光学干渉膜を用いていることを特徴とする請求項１記載の偽造防止媒体。
【請求項４】
請求項１乃至３のいずれかに記載の偽造防止媒体を構成する前記基材の印刷層と透明性ＯＶＤ層が設けてない側に粘着層が設けてあることを特徴とする偽造防止シール。
【発明の詳細な説明】
【０００１】
【発明の属する技術分野】
本発明は、透明フィルム等のプラスチックシートに微細な多数の孔をパターン状に開け、この部分において生じる光の散乱によって文字等のパターンを現出させると共に、必要に応じてこの現出していたパターンを消失できるようにし、真偽判定を行えるようにした偽造防止媒体およびこの偽造防止媒体を用いた偽造防止シールに係り、特にその孔の部分に水等の液体を塗布することで、それまで見えていたパターンを消失せしめることを可能とし、簡単に真偽の判定ができ、かつ偽造・改ざん・変造を困難とする偽造防止媒体および偽造防止シールに関するものである。
【０００２】
【従来の技術】
近年、電子写真技術を利用した複写機が普及し、これを利用すると誰でも簡単に紙等に印刷された文字や画像等を複写することが出来るようになった。特に、最近のカラーデジタル複写機によれば、本物か複写物かの見分けが極めて困難な複写物さえ容易に作成することが出来るようになった。
【０００３】
係るカラー複写は便利である反面、これを悪用して株券、債券、約束手形、小切手等の有価証券や、入場券、搭乗券、各種証明書、保証書、懸賞用に使用されているシール等を複写し、不正に使用するという問題を増加させている。このため、容易に複写が出来ないようにこれらの有価証券や証明書等に偽造防止対策を施す提案が種々なされている。
【０００４】
例えば、カラー複写によって得られる複写物の色が原稿の色と異なるように再生されるようにした技術が提案されている。つまり、原稿とされ得る有価証券等を非常に淡い色で着色すると、複写物では淡い色の部分が正確に再現できないことを利用した技術である。また、原稿に大きさの異なる網点を形成しておくことより、もし複写しても小さい網点の再現性が悪化し、精巧な複写が出来ないようにした技術もある。また、カラー複写機には無い色である、例えば緑、紫、橙、金、銀等で印刷することで複写物の色の再現性を悪化させることを利用した技術もある。また、電磁波のうち人間の視認度が低い波長領域、例えば３８０ｎｍ〜４５０ｎｍおよび６５０ｎｍ〜７８０ｎｍ当たりの波長域に特定の反射特性を有する２種類のインキを用いてパターンを形成することで、目視による観察では同色に認識されるが、カラー複写機による複写物上では異なる色に再現されるようにした技術もある。
【０００５】
しかし、カラー複写機では、３色に分解されてメモリに格納されたデジタルデータを変更することによって、出力する色を補正することが可能である。また、カラー複写機と同様の原理を利用してカラースキャナーで読み込んだデジタルデータをコンピュータで補正し、カラープリンターまたはカラー複写機で出力するようなデジタルプレスも普及しつつある。従って、現在では多少の手間をかければ、原稿の色を精巧に再現することが可能になってきており、上記のような技術では偽造を完全に防止することは非常に困難になってきている。
【０００６】
また、カラー複写機では再現不可能な特殊部分を有価証券等に設けておく技術も提案されている。このうち、ホログラム箔などのＯＶＤ箔を有価証券等の表面上に設ける技術はすでに実用化されている。これによれば、ホログラムの銀面が光を鏡面反射するため、カラー複写機のＣＣＤラインセンサに反射光が入射せず、原稿で銀面だった部分が複写物では黒色に再現される。また、屈折率の異なるセラミックを適当な膜厚を持つ複数層に積層すると、見る角度によって色が変化する特殊な光学薄膜が形成される。かかる光学薄膜の性質は、複写物上では得ることができないので、色変化の有無を真偽判定の手段として利用すれば、容易に真偽判定が可能となる。さらに、この方法で形成された薄膜を細かく砕き、その破片をインキに混入して印刷を行う方法も提案されている。
【０００７】
一方、カラー複写機では忠実な再現を不可能とし、簡単な検証器を用いて真偽の判定が行われるようにした手法も提案されている。例えば、無色または、有色インキ中に蛍光物質を混入させた蛍光インキによりパターンを印刷してなる印刷物は、カラー複写して原稿と同じような複写物が得られたとしても、蛍光インキによりパターン部における蛍光発光までもは再現できず、ブラックライト（紫外線発光管）からの紫外線の照射による可視光域での発光の有無を確認することで真偽判定が可能となる。
また、高分子液晶の配向と非配向の状態を利用して潜像を形成し、それを特殊フィルターを介して観察することで潜像を可視化し真偽判定する技術も提案されている（特許文献１参照）。
【０００８】
また、ランタノイド系化合物の特性を利用して、異なる光源、例えば太陽光と蛍光灯等により異なる色に見えるようにしたインキを用い、真偽判定に使用する方法も提案されている（特許文献２参照）。
【０００９】
しかしながら、これらの技術では、特殊な検証器が必要であり、検証器が無い場合には真偽判定が出来ないという問題がある。
【００１０】
【特許文献１】
特開２００２−９８８２９号公報（段落番号００１１）
【特許文献２】
特開平１０−２７８４６０号公報（段落番号００１３）
【００１１】
【発明が解決しようとする課題】
上述の問題点に鑑みなされた本発明は、特に特殊な検証器を使用しなくても簡単に真偽判定が可能で、かつカラー複写機等による偽造が困難な偽造防止媒体および偽造防止シールの提供を課題とする。
【００１２】
【発明を解決するための手段】
上記の課題を達成するためになされ、請求項１に記載の発明は、基材上に少なくとも印刷層と該印刷層が透けて見えるＯＶＤを持つ透明性ＯＶＤ層とがこの順序で設けてあり、該透明性ＯＶＤ層の一部には光を散乱させる多数の微細な孔を文字、記号、マーク等のパターン状に形成してなる多孔質部を有することを特徴とする偽造防止媒体である。
【００１３】
また、請求項２に記載の発明は、請求項１記載の偽造防止媒体において、前記透明性ＯＶＤ層が、回折光を生じさせる微細な凹凸パターンを備えていることを特徴とする。
【００１４】
さらにまた、請求項３に記載の発明は、請求項１記載の偽造防止媒体において、前記透明性ＯＶＤ層が、多数の光学薄膜によって虹彩を生じさせる光学干渉薄膜を用いていることを特徴とする。
【００１５】
さらにまた、請求項４に記載の発明は、請求項１乃至４に記載の偽造防止媒体を構成する前記基材の印刷層と透明性ＯＶＤ層が設けていない側に粘着層が設けてあることを特徴とする偽造防止シールである。
【００１６】
【発明の実施の形態】
以下、図面を用いて本発明の実施の形態を詳細に説明する。
【００１７】
図１は本発明の偽造防止シールの一実施形態を示す平面図であり、図２は図１の偽造防止シールのＸ−Ｘ線における概略断面構成説明図である。また、図３は本発明の偽造防止シールに対して真偽判定を行っている時の状態を示す説明図であり、図４は、図１に示す状態の説明図のＸ−Ｘ線における断面説明図である。
【００１８】
一方、図５は本発明の偽造防止媒体の一実施形態を示す平面図であり、図６は図５の偽造防止媒体のＸ−Ｘ線における概略断面構成説明図である。また、図７は本発明の偽造防止媒体に対して真偽判定を行っている時の状態を示す説明図であり、図８は、図７に示す状態の説明図のＸ−Ｘ線における断面説明図である。
【００１９】
図２に示す本発明の偽造防止シール１は、基材１１の一方の面上に印刷層１２、透明性ＯＶＤ層１３が順次設けられており、基材１１の他方の面には粘着層１５が設けられている。
一方、図６に示す本発明の偽造防止媒体２０は、基材２１の一方の面上に印刷層２２、透明性ＯＶＤ層２３が順次設けられている。そして、透明性ＯＶＤ層１３、２３の一部には多数の微細な孔が形成され、それらにより文字、記号、絵柄等の形状をなす多孔質部１４、２４がそれぞれ形成されている。この多孔質部１４、２４は、図示の如く、開口部分が数ミクロンの微細な縦穴が多数開けられた状態になっており、ここれらの孔の部分において光の散乱が生じて透明性が失われ、白っぽく見えるようになっている。特に透明性ＯＶＤ層１３、２３の下層の印刷層１２、２２の色相が白色以外の場合、多孔質部１４、２４が白色のインキにて印刷されたように明瞭に見えるようになる。
【００２０】
このような構成になる偽造防止シール１や偽造防止媒体２０の透明性ＯＶＤ層１３、２３を水１６、２６で濡らすと、図４や図５に示したように、多孔質部１４、２３を構成する微細な孔の中に水１６、２６が入り込み、その部分における光の散乱が無くなることで、それまで図１や図４に示したような状態で見えていた文字、記号等が消失してしまう。
このようにして文字、記号等が消えた状態の偽造防止シールや偽造防止媒体は、水１６、２６をふき取るか、水１６、２６を蒸発させることにより、個々の孔の部分から水が排除されると、文字、記号等が再び出現することになる。従って、このような現象の有無を利用して真偽判定を行うことが可能となる。しかも、この現象は可逆であるため、繰り返しの真偽判定方法として利用ができる。
【００２１】
前記印刷層１２、２２が白色を主とした絵柄である場合は、前記したように水を使用するのでは無く、例えば水系の有色ペンを使用して透明性ＯＶＤ層１３、２３の多孔質部１４、２４の上をなぞった上で、紙やガーゼ等でその部分をを拭き取ると、多孔質部１４、２４の各孔の中にのみ有色ペンのインキが残り、文字が出現する。
【００２２】
また、この透明性ＯＶＤ層１３、２３は、ＯＶＤを持つ層でもあるため、見る角度を違えることにより色が様々に変化するものでもあり、水を作用させることによって所定のパターンを可逆的に現出、消去させることができるようにした前記の効果と相俟って、目視による真偽判定方法を多様化ならしめ、本発明における偽造防止の効果を一段と高くすることが期待出来る。
【００２３】
ここで、ＯＶＤ（Ｏｐｔｉｃａｌ（ｌｙ）  Ｖａｒｉａｂｌｅ  Ｄｅｖｉｃｅ）とは光の干渉を利用した画像表示であり、ホログラム（回折格子）層、虹彩性多層フィルム等の立体画像の表現や見る角度により色が変化するカラーシフトを可能とするものである。ホログラムや回折格子のごときＯＶＤとしては、光の干渉縞を微細な凹凸パターンとして平面に記録するレリーフ型や体積方向に干渉縞を記録する体積型が具体的には挙げられる。一方、ホログラムや回折格子と手法が異なり、光学特性の異なるセラミックスや金属材料の薄膜を積層し、見る角度により色の変化（カラーシフト）を生じるようにした光学干渉膜もその例である。
【００２４】
前記したレリーフ型のホログラム（回折格子）は、光学的な撮影方式により微細な凹凸パターンからなるレリーフ型のマスター版を作製してから、このマスター版より電気メッキ法でニッケル製等の複製用のプレス版を得、このプレス版にて量産を行う。すなわち、このプレス版を加熱しＯＶＤ形成層に押し当て、凹凸パターンを複製する。
【００２５】
本発明における透明性ＯＶＤ層は、プレス版にて成形可能であるという性能も要求され、その構成素材は透明性を有する熱可塑性樹脂、熱硬化性樹脂、紫外線あるいは電子線硬化性樹脂等のいずれであっても良い。例を挙げれば、アクリル系樹脂、エポキシ系樹脂、セルロース系樹脂、ビニル系樹脂等の熱可塑性樹脂や、反応性水酸基を有するアクリルポリオールやポリエステルポリオール等にポリイソシアネートを架橋剤として添加、架橋したウレタン樹脂や、メラミン系樹脂、フェノール系樹脂等の熱硬化樹脂、エポキシ（メタ）アクリル、ウレタン（メタ）アクリレート等の紫外線あるいは電子線硬化樹脂を単独もしくはこれらを複合して使用できる。また上記以外のものであっても、ＯＶＤを形成可能である公知の材料であれば、使用可能である。
【００２６】
また、透明性ＯＶＤ層は、屈折率の異なる２種類以上のポリマーを交互に積層した虹彩性多層フィルムで構成されていても良い。この虹彩性多層フィルムの積層材料として用いられるポリマーとしては、高屈折率ポリマーとしてポリエチレンナフタレート（ＰＥＮ；１．６３＝屈折率ｎ：以下同じ）、ポリパーボネート（ＰＣ；１．５９）、ポリスチレン（ＰＳＴ；１．５９）、ポリエチレンテレフタレート（ＰＥＴ；１．５８）等があり、また低屈折率ポリマーとしてナイロン（ＮＹ；１．５３）、ポリメチルメタアクリレート（ＰＭＭＡ；１．４９）、ポリメチルペンテン（１．４６）、フッ素系ＰＭＭＡ（１．４）等がある。これらのポリマーの中から高屈折率材料より少なくとも一種、低屈折率材料より少なくとも一種を選択し、所定の厚さで交互に積層させることにより、特定の波長の可視光に対して吸収あるいは反射を示すようになり、虹彩色を呈する。
【００２７】
上記虹彩性多層フィルムの光学特性をより強調させるためにその下面に光吸収層を設けることもできる。虹彩性多層フィルムはその光吸収層の層厚により特定の波長を吸収し、それ以外の波長を反射させる性質を持っているが、前記吸収波長をこの光吸収層にて吸収することにより、反射波長のみがより明瞭に見えるようになる。この光吸収層の色相は、虹彩性多層フィルムによって吸収される光の波長を吸収出来るもので有れば特に限定はなく、一般的には濃色の色を用い、その中では黒色が一般的に選択される。
【００２８】
一方、前述の如く、多孔質部１４、２４は、透明性ＯＶＤ層１３、２３の一部に多数の微細な孔を開けることで成り立っており、この多数の微細な孔における光の散乱により、白く見える。多孔質部１４、２４を構成するの微細な個々の孔の開口は１〜１００μｍ程度である。この微細な孔はレーザーもしくは電子線を照射することで、所定の大きさの開口と深さで形成することができる。
【００２９】
他方、偽造防止シール１の基材１１の前記透明性ＯＶＤ層１３等が形成されていない面上に形成する粘着層１５は、接する基材１１を変質させたり、冒すものでなければ、一般的な粘着剤により形成することが出来る。
【００３０】
例えば塩化ビニル−酢酸ビニル共重合体、ポリエステル系ポリアミド、アクリル系、ブチルゴム系、天然ゴム系、シリコン系、ポリイソブチル系の粘着剤を単独、もしくはアルキルメタクリレート、ビニルエステル、アクリルニトリル、スチレン、ビニルモノマー等の凝集成分、不飽和カルボン酸、ヒドロキシ基含有モノマー、アクリルニトリル等に代表される改質成分や重合開始剤、可塑剤、硬化剤、硬化促進剤、酸化防止剤等の添加剤を必要に応じて添加したものを用いることが出来る。
【００３１】
また、この粘着層１５の形成には公知のグラビア印刷法、オフセット印刷法、スクリーン印刷法などの印刷方法やバーコート法、グラビア法、ロールコート法などの塗布方法等を用いることが出来る。
【００３２】
【実施例】
本発明を、具体的な実施例を挙げて詳細に説明する。
＜実施例１＞
上質紙系のタック紙上にアルミニウム蒸着を施した粘着剤付きのホログラムシート（厚さ１６μｍ）をラミネートした。次に、ラミネートされたシートのホログラム形成面の一部にレーザー光により開口直径が１０μｍ程度で深さが１０μｍ程度の孔を複数個、パターン状に開けることにより、文字と絵柄を形成し、実施例１に係る偽造防止シールを得た。
【００３３】
＜実施例２＞
上質紙系のタック紙の全面を黒色で印刷し、その上に粘着剤付きの虹彩性多層フィルム（厚さ１９μｍ）をラミネートした。次に、ラミネートされたフィルムの虹彩性多層フィルム面上にレーザー光により開口直径が１０μｍ程度で深さが１０μｍ程度の孔を多数開けることにより、文字と絵柄を形成し、実施例２に係る偽造防止シールを得た。
【００３４】
上記実施例１および実施例２の偽造防止シールは、見た目ではホログラム効果およびカラーシフト効果がそれぞれ確認できた。そして、さらにこれらのシールの上に水を付けたところ、シール上で見えていた文字と絵柄とが消え、またシールから水を排除することより、それまで消失していた文字と絵柄が再び現出し、可逆的にパターンを現出・消失できることが確認できた。
【００３５】
【発明の効果】
本発明の偽造防止媒体および偽造防止シールは、その一部を構成する透明性ＯＶＤ層に微小な孔を多数開けることにより、その部分で光の散乱を起こして文字や絵柄が可視化できるようにしている。そして、この孔に水等の液体を入れ、その部分における光の散乱が生じないようにすることでそれまで見えていた文字等が消えたようになるため、この現象を利用して真偽判定が行える。また、目視によりカラーシフトが確認されるため、それを真偽の判定に利用できると共に、水のような比較的入手し易い媒体を用いて真偽判定が出来ることより、より一層の偽造防止効果と簡便な真偽の判定方法が期待出来る。
【図面の簡単な説明】
【図１】本発明の偽造防止シールの一実施形態を示す平面説明図である。
【図２】図１に示す偽造防止シールのＸ−Ｘ線における概略断面構成説明図である。
【図３】本発明の偽造防止シールに対して真偽判定を行っている時の状態を示す説明図である。
【図４】図３に示す状態の説明図のＸ−Ｘ線における断面説明図である。
【図５】本発明の偽造防止媒体の一実施形態を示す平面説明図である。
【図６】図５に示す偽造防止媒体のＸ−Ｘ線における概略断面構成説明図である。
【図７】本発明の偽造防止媒体に対して真偽判定を行っている時の状態を示す説明図である。
【図８】図７に示す状態の説明図のＸ−Ｘ線における断面説明図である。
【符号の説明】
１            偽造防止シール
１１、２１    基材
１２、２２    印刷層
１３、２３    透明性ＯＶＤ層
１４、２４    多孔質部
１５          粘着層
１６、２６    水
【図１】
2004340992.tif 000003
【図２】
2004340992.tif 000004
【図３】
2004340992.tif 000005
【図４】
2004340992.tif 000006
【図５】
2004340992.tif 000007
【図６】
2004340992.tif 000008
【図７】
2004340992.tif 000009
【図８】
2004340992.tif 000010